(57)【要約】【課題】 付勢部の付勢力を適正な大きさとすることができ、しかも、強度も上げることができる一方向クラッチを提供する。【解決手段】  保持器14は、ポケット20を形成する複数の柱部22および各柱部22に形成された付勢部23を有している。付勢部23は、楕円形状（リング状）とされており、ころ13をロック位置方向に付勢している。【選択図】    図３
2010116932.tif 000002
【特許請求の範囲】
【請求項１】
外輪、内輪、両軌道輪間に配された複数のころおよび各ころを保持する保持器を備えており、外輪および内輪のうちのいずれか一方の軌道輪に、ロック位置およびフリー位置を規定するカム面が形成され、各ころをロック位置方向に付勢する付勢部が保持器に設けられている一方向クラッチにおいて、
付勢部は、リング状に形成されていることを特徴とする一方向クラッチ。
【請求項２】
付勢部は、合成樹脂製の保持器に一体に形成されている請求項１の一方向クラッチ。
【請求項３】
付勢部は、金属製リングとされて、その周上の一部が合成樹脂製の保持器に設けられた支持部に支持されている請求項１の一方向クラッチ。
【発明の詳細な説明】
【技術分野】
【０００１】
この発明は、一方向クラッチに関する。
【背景技術】
【０００２】
一方向クラッチとして、外輪、内輪、両軌道輪間に配された複数のころおよび各ころを保持する保持器を備えており、外輪および内輪のうちのいずれか一方の軌道輪に、ロック位置およびフリー位置を規定するカム面が形成され、各ころをロック位置方向に付勢する付勢部が保持器に設けられているものが知られている（特許文献１）。
【０００３】
特許文献１のものでは、付勢部は、合成樹脂製の保持器に一体に形成されており、径方向外方から見た場合に、略ハ字状とされている。
【特許文献１】実用新案登録第２５５７４３８号公報
【発明の開示】
【発明が解決しようとする課題】
【０００４】
上記特許文献１の一方向クラッチによると、付勢部に大きな力が作用した場合、付勢部が損傷することがあるが、付勢部を増厚することで補強すると、付勢力が変化して、ロックとフリーとの切り替えがスムーズでなくなることから、付勢力を適切な範囲に設定可能でかつ強度を上げた付勢部を得ることが課題となっている。
【０００５】
この発明の目的は、付勢部の付勢力を適正な大きさとすることができ、しかも、強度も上げることができる一方向クラッチを提供することにある。
【課題を解決するための手段】
【０００６】
この発明による一方向クラッチは、外輪、内輪、両軌道輪間に配された複数のころおよび各ころを保持する保持器を備えており、外輪および内輪のうちのいずれか一方の軌道輪に、ロック位置およびフリー位置を規定するカム面が形成され、各ころをロック位置方向に付勢する付勢部が保持器に設けられている一方向クラッチにおいて、付勢部は、リング状に形成されていることを特徴とするものである。
【０００７】
保持器は、合成樹脂製とされ、付勢部は、保持器に一体に形成されてもよく（合成樹脂製）、別部材（ＳＵＳ、リン青銅などの金属製）とされて、保持器に設けられた突起等の支持部に支持されるようにしてもよい。
【０００８】
付勢部は、従来、例えば略ハ字状とされて、その自由端がころの両端部と接触するようになされていたが、リング状とされることで、自由端がなくなり、リングの所定箇所（周方向に最も突出している部分）でころの軸方向略中央部と接触することになる。リング状付勢部の形状は、例えば、楕円形状とされるが、これに限られるものではない。付勢部を別部材とする場合、予めリング状に形成されたもの（金属リング）を保持器に取り付けるようにしてもよく、帯状の金属板の両端を保持器に支持させることで、リング状に形成するようにしてもよい。いずれにしろ、付勢部をリング状とすることで、その強度が上がり、付勢部の形状について、楕円の扁平比を変更したり楕円形状から外れた形状とすることで、付勢力も調整しやすいものとなる。付勢部の厚みは、従来の略ハ字状のものに比べて薄くすることができる。
【０００９】
付勢部は、ばね定数が一定となる線形ばねとなるようにしてもよく、例えば、初期変形時はばね定数が小さく、変形が大きくなるとばね定数が増加する非線形ばねとしてもよい。非線形ばねとするには、付勢部の形状をおむすび形または略扇形などとすればよく、このようにすることで、フリー位置でのトルクやロック位置の調整が容易なものとなる。
【００１０】
一方向クラッチの外輪、内輪およびころは金属製とされ、カム面は、内輪に形成されることがあり、また、外輪に形成されることもある。また、内輪は、軸部材に取り付けられるようになされていることがあり、軸部材を兼ねるようになされていることがある。
【発明の効果】
【００１１】
この発明の一方向クラッチによると、付勢部がリング状とされていることで、その強度が上がり、その形状を変更することで、付勢部の付勢力を適正な大きさに容易に設定することができる。
【発明を実施するための最良の形態】
【００１２】
この発明の実施の形態を、以下図面を参照して説明する。
【００１３】
図１から図５までは、この発明による一方向クラッチの第１実施形態を示している。
【００１４】
この一方向クラッチ(10)は、シャフトを兼ねるように形成された円柱状内輪(11)と、ロック位置およびフリー位置を規定するカム面(16)が内周面に形成された外輪(12)と、カム面(16)と内輪(11)の外周面とで形成された楔状空間(15)に配置され、内輪(11)と外輪(12)とが一の方向（ロック方向）に相対回転することにより内輪(11)と外輪(12)との間に噛み込み、他の方向（フリー方向）に相対回転したとき噛み込みを解除する複数のころ(13)と、ころ(13)を収納するポケット(20)を有しておりころ(13)を楔状空間(15)内に位置させる環状の保持器(14)とを備えている。
【００１５】
保持器(14)は、全体として円筒状となし、１対の環状部(21)と、両環状部(21)間に渡されてポケット(20)を形成する複数の柱部(22)と、各柱部(22)に形成された付勢部(23)とを有している。楔状空間(15)は、保持器(14)の付勢部(23)に近い側が広く（フリー位置）、付勢部(23)に遠い側が狭く（ロック位置）形成されている。
【００１６】
付勢部(23)は、軸方向が長軸で周方向が短軸とされた楕円形状（リング状）とされており、その短軸の一端側に相当する部分が柱部(22)に一体に形成されることで、短軸の他端側に相当する部分がポケット(20)内においてその周方向に最も突出して、ころ(13)の軸方向略中央部に接触するようになされている。これにより、ころ(13)は、付勢部(23)によってロック位置方向に付勢されて、ポケット(20)内においてロック位置およびフリー位置の間を移動することができる。
【００１７】
この一方向クラッチ(10)によると、内輪(11)が外輪(12)に対して時計方向（図４に矢印で示す方向）に回転すると、付勢部(23)に付勢されたころ(13)がくさび状空間(17)の狭い側（図の時計方向）へ転動させられてロック状態となるので、内輪(11)と外輪(12)とが一体化して同期回転する。図４および図５は、このロック状態に対応している。なお、このロック状態において、ころ(13)は、保持器(14)に当たらないようにポケット(20)内に位置させられている。
【００１８】
逆に、内輪(11)が外輪(12)に対して反時計方向（図１に矢印で示す方向）に回転すると、ころ(13)は、付勢部(23)の付勢力に抗してくさび状空間(17)の広い側（図の反時計方向）へ転動させられ、フリー状態となるので、内輪(11)から外輪(12)へ回転動力の伝達が遮断される。図１および図３は、このフリー状態に対応している。
【００１９】
ロック状態およびフリー状態が繰り返されることで、付勢部(23)には繰り返し大きな力が作用するため、付勢部(23)は損傷しやすいものとなっているが、上記一方向クラッチ(10)によると、付勢部(23)がリング状とされていることによって、付勢部(23)の応力が軽減されて、付勢部(23)の強度が向上しており、付勢部(23)が損傷しにくいものとなっている。一方、付勢部(23)の付勢力の調整は、楕円の偏平比（長軸の長さと短軸の長さとの比）や付勢部(23)の厚みによって調整可能であり、所望の付勢力を容易に得ることができる。
【００２０】
上記第１実施形態では、付勢部(23)は、保持器(14)に一体に設けられて、その材料も保持器(14)と同じ合成樹脂とされているが、付勢部(33)は、保持器(14)とは別体として、別材料（例えば金属製）とすることができる。この実施形態（第２実施形態）を図６および図７に示す。以下の説明において、第１実施形態と同じ構成には同じ符号を付し、その説明を省略する。
【００２１】
図６および図７において、付勢部(33)は、楕円形の金属製リングであり、その周上の一部（短軸の一端側に相当する部分）が保持器(14)に設けられた突起（支持部）(31)に支持されている。
【００２２】
この第２実施形態の一方向クラッチ(10)によると、付勢部(33)がリング状とされていることで、付勢部(33)の強度が向上しており、また、付勢部(33)の付勢力の調整は、保持器(14)の材料や保持器(14)の製造のしやすさなどに制約されることなく、付勢部(33)を形成する材料の特性、楕円の偏平比（長軸の長さと短軸の長さとの比）、付勢部(33)の厚みなどによって調整可能であり、所望の付勢力を容易に得ることができる。
【００２３】
なお、第１および第２のいずれの実施形態でも、付勢部(23)(33)を非線形ばねとして、付勢部(23)(33)の付勢力が、図１および図３に示したときと図４および図５に示したときとで異なっているようにすることがより好ましい。これは、第１および第２実施形態の付勢部(23)(33)に代えて、例えば、図８に示すような略扇形（またはおむすび形）の付勢部(43)とし、その扇形の中心部分（おむすびの角）を柱部(22)に一体に形成するかまたは突起(31)に支持させることで可能となる。付勢部(23)(33)(43)の形状は、上記図示したものに限定されるものではなく、リング状を維持して種々の形状とすることができる。
【００２４】
上記一方向クラッチ(10)は、特に、複写機や魚釣用リール等で使用されるミニ一方クラッチと称されている用途に適したものであるが、一方向クラッチ(10)の用途はこれに限定されるものではない。また、上記の一方向クラッチ(10)は、外輪(12)の内周にカム面が形成されているものであるが、上記のリング状付勢部(23)(33)(43)を設ける構成は、内輪の外周にカム面が形成されている一方向クラッチにも同様に適用することができる。
【図面の簡単な説明】
【００２５】
【図１】図１は、この発明による一方向クラッチの第１実施形態のフリー状態を示す横断面図である。
【図２】図２は、第１実施形態の一方向クラッチの保持器を示す斜視図である。
【図３】図３は、一方向クラッチのフリー状態での要部を径方向外方から見た図である。
【図４】図４は、一方向クラッチのロック状態を示す要部の横断面図である。
【図５】図５は、一方向クラッチのロック状態での要部を径方向外方から見た図である。
【図６】図６は、この発明による一方向クラッチの第２実施形態の保持器を示す斜視図である。
【図７】図７は、第２実施形態の一方向クラッチのロック状態での要部を径方向外方から見た図である。
【図８】図８は、一方向クラッチの保持器の付勢部の変形例を示す斜視図である。
【符号の説明】
【００２６】
(10)       一方向クラッチ
(11)       内輪
(12)       外輪
(13)       ころ
(14)       保持器
(16)       カム面
(23)       付勢部
(33)       付勢部
(43)       付勢部
【図１】
2010116932.tif 000003
【図２】
2010116932.tif 000004
【図３】
2010116932.tif 000005
【図４】
2010116932.tif 000006
【図５】
2010116932.tif 000007
【図６】
2010116932.tif 000008
【図７】
2010116932.tif 000009
【図８】
2010116932.tif 000010